(57)【要約】【課題】作動時の吸気風切り音を効果的に低減できるヘアードライヤを提供する。【解決手段】ヘアードライヤは、筐体１と、ヒータ２と、ファン３と、導風管４と、吸音材５とを備える。筐体１の中央部にハウジング１１を有し、前端部に吐風口１２、後端部に吸込口１３が設けられる。ヒータ２は、筐体１のハウジング１１内の前方位置に設けられる。またファン３は、モータ３１により駆動し、筐体１のハウジング１１内の後方位置に設けられる。導風管４は、吸込口１３に対応する位置に設けられ、導風孔４１を有する。吸音材５は、環状中空体であって、中央部に中空部５１を備え、導風管４の導風孔４１の内壁に固設される。これにより、作動時における吸気風切り音を大幅に低減できる。またヘアードライヤの好ましい風の吹き出し効率を維持できる。【選択図】図２
0003174205.tif 000002
【実用新案登録請求の範囲】
【請求項１】
中央部にハウジングを有し、前端部に吐風口が設けられ、後端部に吸込口が設けられる筐体と、
前記筐体の前記ハウジング内の前方位置に設けられるヒータと、
モータにより駆動され、前記筐体の前記ハウジング内の後方位置に設けられるファンと、
前記筐体の前記吸込口の位置に設けられ、導風孔を有する導風管と、
環状中空体であって、中央部に前記導風孔の軸方向に対応する中空部を有し、前記導風管の前記導風孔の内壁に固設される吸音材と、
を備えることを特徴とするヘアードライヤ。
【請求項２】
前記吸音材は、スポンジ、或いは、吸音ウレタンフォームであり、前記導風管に固着され、
前記導風管には、前記吸音材の一端に当接できる止縁部が設けられることを特徴とする請求項１に記載のヘアードライヤ。
【請求項３】
前記導風管は、前記筐体と一体成形され、
前記導風孔の軸方向は、前記吸込口に対応し、
前記導風管の一端部は、前記ファンに近い位置に設けられ、
前記導風管の外壁と前記筐体の内壁との間には、仕切り部が設けられることを特徴とする請求項１または２に記載のヘアードライヤ。
【請求項４】
前記筐体の前記吸込口の位置にメッシュカバーが設けられ、
前記導風管は、外付けアセンブリであって、前記筐体、或いは、前記メッシュカバーと組立接合することを特徴とする請求項１または２に記載のヘアードライヤ。
【請求項５】
前記導風管と前記メッシュカバーとを組み立ててから、前記メッシュカバーを前記筐体の前記吐風口の位置に接合することを特徴とする請求項４に記載のヘアードライヤ。
【請求項６】
前記導風管は、前記筐体の外部に設けられ、
前記導風管の前記筐体の前記吸込口に向かう一端は、前記吸込口の位置に接合することを特徴とする請求項４に記載のヘアードライヤ。
【考案の詳細な説明】
【技術分野】
【０００１】
本考案は、ヘアードライヤに関し、特に、ヘアードライヤの作動時における吸気風切り音を低減できる構造に関する。
【背景技術】
【０００２】
ヘアードライヤは、人々の濡れた髪を乾燥させるために必要な電気器具の一つである。図１１に示すのは、従来のヘアードライヤであり、主に筐体１’、ヒータ２’、ファン３’のアセンブリを備える。筐体１’は、ヒータ２’およびファン３’を収納するためのハウジング１１’を有し、前端部および後端部に吐風口１２’または吸込口１３’をそれぞれ設ける。吸込口１３’の位置にメッシュカバー１４’を設ける。また、ヒータ２’及びファン３’がハウジング１１’の前方、後方位置に設けられ、ファン３’の作動により外気が吸込口１３’からハウジング１１’内に導入されると共にヒータ２’の加熱により気流の変化を起こし、更に吐風口１２’から導出させることができる。
【先行技術文献】
【特許文献】
【０００３】
【特許文献１】特開２００１−２１１９２６号公報
【０００４】
しかしながら図１１の矢印で示すように、上記ヘアードライヤは、広い範囲の外気を直径の比較的小さい吸込口１３’から強制的に導入したとき、外気が吐風口１３’の周縁に直接衝突し、図１１中に記号ａで示す箇所のように、吸気位置での顕著な衝突騒音が起きる。また、ハウジング１１’に導入された外気にも気流の乱れが起きて筐体１’の内壁へ衝突する。これにより、ヘアードライヤの騒音が大きくなるという欠陥が起きる。ヘアードライヤの使用時、人体の頭部に近いため、使用における不快感という欠陥が生じ、美容院等の営業場所の従業員に対しても聴力低下を招くという労災が起きる虞がある。
【０００５】
上記状況を改善するため、図１２に示すヘアードライヤは、筐体４’、５’を備える。筐体４’内にヒータ４２’を有し、手で握持でき、また吐風口４１’を備え、内部にヒータ４２’を有する。別の筐体５’は、吸込口５１’を備え、内部にファン５２’を有する。また２つの筐体４’、５’間に気流を導引できる導風管６’が連設されることで、ファン５２’の作動により外気が筐体５’内に導入されてから導風管６’を経由して筐体４’内に導入され、またヒータ４２’で加熱された後、更に吐風口４１’から導出できる。上記設計は、筐体５’で吸込んだ風の騒音を仕切ることができるため、吐風口４１’を備えた筐体４’が人体に近づいても大きな騒音による不快感を低減することができる。
【０００６】
しかしながら上記設計は、導風管６’を備えるため、利用者が筐体４’を手に持って操作したとき、導風管６’の影響を受けるため不便性を感じ、且つ導風管６’は更に導風ストロークの増加及び風の吹き出し効率の低下という欠陥が起きている。またヘアードライヤのアセンブリも明らかに増えるため、ヘアードライヤのコストも増加してしまう。
【０００７】
次に、図１３に示すのは別の従来の改良構造である。その構造は、図１０に示す構造に類似する。その相違点は、吸込口１３’に通気性のあるスポンジ７’が設けられ、外気が吸込口１３’から導入されたとき、スポンジ７’の吸音により騒音を低下させる効果を実現できることである。
しかしながら上記設計において、スポンジ７’は、同時に空気吸込みの抵抗となるため、ヘアードライヤの吹出量が大幅に減少してしまい、ヘアードライヤの効率が悪くなり、使用について要求される効果を満たすことができないという欠陥が起きている。
【考案の概要】
【考案が解決しようとする課題】
【０００８】
そこで、本考案は上記問題を鑑みてなされたものであり、ヘアードライヤの作動時の吸気風切り音を効果的に低減でき、同時に好ましい風の吹き出し効率をアップさせることができるヘアードライヤを提供することを目的とする。
【課題を解決するための手段】
【０００９】
本考案のヘアードライヤは、筐体と、ヒータと、ファンと、導風管と、吸音材とを備える。筐体の中央部にハウジングを有し、前端部に吐風口、後端部に吸込口をそれぞれ設け、且つ吸込口の位置にメッシュカバーが設けられる。ヒータは、筐体のハウジング内の前方位置に設けられる。またファンは、モータにより駆動され、筐体のハウジング内の後方位置に設けられる。導風管は、吸込口に対応する位置に設けられ、筐体と一体成形することができ、或いは外付け設計も可能である。また導風管は、導風孔を有する。導風管の外壁と筐体の内壁との間には、仕切り部が設けられる。吸音材は、スポンジ、吸音ウレタンフォーム或いは他の吸音可能な材質からなる。吸音材は、環状中空体であって、中央部に中空部を備え、接着又は適切なその他の方法により導風管の導風孔の内壁に固設される。
【００１０】
これにより、本考案のヘアードライヤは、ファンの作動時に、外気は吸込口を経由してまず導風管の導風孔に導入されてからファンの位置に導引できる。また、広範囲の外気を直径が比較的小さい導風管に導入したとき、先に吸音材に衝突するので、吸音材が振動を減少して消音し、直接導風管の内壁に衝突しないため、作動時における吸気風切り音を大幅に低減できる。またヘアードライヤの好ましい風の吹き出し効率を維持できる。
【図面の簡単な説明】
【００１１】
【図１】本考案の第１実施形態によるヘアードライヤの分解斜視図である。
【図２】本考案の第１実施形態によるヘアードライヤの断面図である。
【図３】本考案の第１実施形態によるヘアードライヤの断面図である。
【図４】本考案の第１実施形態によるヘアードライヤの作動を示す断面図である。
【図５】本考案の第２実施形態によるヘアードライヤの一部の分解斜視図である。
【図６】本考案の第２実施形態によるヘアードライヤの断面図である。
【図７】本考案の第３実施形態によるヘアードライヤの断面図である。
【図８】本考案の第４実施形態によるヘアードライヤの分解した状態を示す断面図である。
【図９】本考案の第４実施形態によるヘアードライヤの断面図である。
【図１０】本考案の第５実施形態によるヘアードライヤの断面図である。
【図１１】従来のヘアードライヤの断面図である。
【図１２】別の従来のヘアードライヤの断面図である。
【図１３】従来のヘアードライヤにスポンジが設けられた状態を示す図である。
【考案を実施するための形態】
【００１２】
以下、本考案の実施形態を図面に基づいて説明する。複数の実施形態の図面において同一機能或いは類似機能の構成要素は、同じ符号で表示される。
（第１実施形態）
本考案の第１実施形態によるヘアードライヤを図１〜図３を参照しながら説明する。本考案の第１実施形態によるヘアードライヤは、筐体１と、ヒータ２と、ファン３と、導風管４と、吸音材５とを含む。筐体１は、前部１０１と後部１０２とを突き合わせて組み立てられる。また、中央部にハウジング１１を備え、前端部に吐風口１２、後端部に吸込口１３がそれぞれ設けられる。吸込口１３の位置には、メッシュカバー１４が設けられる。メッシュカバー１４は、頭髪或いは異物がハウジング１１内に吸い込まれることを防止できる。
【００１３】
ヒータ２は、筐体１のハウジング１１内の前方位置に設けられる。またファン３は、モータ３１により駆動され、筐体１のハウジング１１の後方位置に設けられる。
導風管４は、筐体１の後部１０２と一体成形され、ファン３と吸込口１３との間に対応する位置に設けられる。筐体１の前部１０１、後部１０２は、各々成形品の設計で、各アセンブリを組み立てやすくなっている。また導風管４は、吸込口１３の軸方向に対応する導風孔４１を備える。導風管４の一端部４２は、吸込口１３と連結して一体化し、他端部４３は、ファン３に近い位置に設けられる。導風管４の外壁と筐体１の内壁との間には、仕切り部１１１が設けられる。また、導風管４のファン３に近い一端に、止縁部４４を設ける。
【００１４】
吸音材５は、スポンジ、吸音ウレタンフォーム或いはその他の吸音可能な材質からなる。吸音材５は、環状中空体であって、中央部に導風孔４１の軸方向に対応する中空部５１を備える。吸音材５は、接着により導風管４の導風孔４１の内壁に固設され、一端が止縁部４４に当接する。
【００１５】
図４を参照しながら説明する。本考案のヘアードライヤのファン３の作動時、外気が吸込口１３を経由し、まず直径が比較的小さい導風孔４１に導入されてからファン３の位置へ導引される。広い範囲の外気を直径が比較的小さい導風管４に導入されるとき、まず吸音材５に衝突し、また吸音材５により振動が減少して、消音する。吸込まれた外気の主な衝突位置は、吸音材５であり、直接導風管４の内壁に衝突しないため、導風管４が騒音のアセンブリにならず、且つヘアードライヤの作動時の吸気風切り音を大幅に低減でき、図４中に記号ｂで示す箇所での騒音を大幅に軽減させることができる。導風管４と筐体１の内壁との間に仕切り部１１１を備えるため、導入した外気が筐体１の内壁に衝突する騒音を軽減させることができ、また外気を導引して集中させる効果を持つ。導風孔４１内の気流は、吸音材５自体ではなく、吸音材５の中空部５１を通るため、導入外気量が顕著に減少することない。
【００１６】
これにより、本実施形態のヘアードライヤの全体的な作動騒音を大幅に軽減させることができ、且つヘアードライヤの好ましい風の吹き出し効率も維持できる。また、導風孔４１の止縁部４４が吸音材５の端縁に当接するため、長時間使用した時でも吸音材５がファン３作動の吸引力によって導風孔４１から脱落することがなく、好ましい組立の安定性を保つことができる。
【００１７】
（第２実施形態）
導風管４は、筐体１と一体成形、或いは外付け設計も可能である。図５および図６を参照しながら説明する。本考案の第２実施形態は、第１実施形態に類似する。その相違点は、筐体１の吸込口１３に対応する位置にねじ部１３１が設けられる。また導風管４の外壁にねじ部４５が設けられる。導風管４は、ねじ部４５を介して筐体１のねじ部１３１と螺合してハウジング１１内に設けられることで、導風管４の一端がファン３に寄り、騒音低減効果を持たせることができる。
【００１８】
（第３実施形態）
また、図７に示すような本考案の第３実施形態は、第１実施形態、および、第２実施形態に類似する。その相違点は、筐体１の吸込口１３に対応する位置に係止穴を有する係合部１３２が設けられる。また導風管４の外壁に係止突起を有する係合部４６が設けられる。導風管４が係合部４６を介して筐体１の係合部１３２と係合してハウジング１１内に設けられる。導風管４の一端がファン３に寄り、騒音低減効果を持たせる。また、外付け設計は、導風管４、および、吸音材５を取り外して清掃が容易となり、清掃時の利便性を有する。
【００１９】
（第４実施形態）
次に、図８、および、図９に示すような本考案の第４実施形態は、第１実施形態に類似する。主な相違点は、導風管４にねじ部４５が設けられる。メッシュカバー１４には、導風管４と螺合できるねじ部１４１が設けられる。また、導風管４とメッシュカバー１４とをまず組み立ててからメッシュカバー１４を筐体１の吸込口１３の位置に接合させることで、騒音低減効果を持つ。また、本実施形態の設計は、導風管４及び吸音材５を設けていないヘアードライヤに取り付けて使用でき、且つ容易に取り外しや清掃することができる。
【００２０】
（第５実施形態）
導風管およびメッシュカバーも係合又はその他の方法によって組み立ててもよい。図１０を参照しながら説明する。本考案の第５実施形態は、第４実施形態に類似する。その相違点は、導風管４が筐体１の外部に設けられ、吸込口１３に向かう一端にねじ部４７が設けられると共に吸込口１３にあるねじ部１３１と螺合する。
本実施形態も、広い範囲の外気がヘアードライヤに吸い込まれるときの吸気風切り音を大幅に低下できると共に、好ましい風の吹き出し効率を有する効果を実現できる。
【符号の説明】
【００２１】
１：筐体、１０１：前部、１０２：後部、１１：ハウジング、１１１：仕切り部、１２：吐風口、１３：吸込口、１３１：ねじ部、１３２：係合部、１４：メッシュカバー、１４１：ねじ部、２：ヒータ、３：ファン、３１：モータ、４：導風管、４１：導風孔、４２：端部、４３：端部、４４：止縁部、４５：ねじ部、４６：係合部、４７：ねじ部、５：吸音材、５１：中空部
【図１】
0003174205.tif 000003
【図２】
0003174205.tif 000004
【図３】
0003174205.tif 000005
【図４】
0003174205.tif 000006
【図５】
0003174205.tif 000007
【図６】
0003174205.tif 000008
【図７】
0003174205.tif 000009
【図８】
0003174205.tif 000010
【図９】
0003174205.tif 000011
【図１０】
0003174205.tif 000012
【図１１】
0003174205.tif 000013
【図１２】
0003174205.tif 000014
【図１３】
0003174205.tif 000015